(57)【要約】 【課題】    構造が複雑化して設備コストが高くなるのを避ける。土砂の流出を確実に防止する。  【解決手段】    上下方向へ配設され土砂を挟持して下方から上方へ搬送するベルトコンベア１，補助ベルトコンベア２を備え、補助コンベア２はベルトコンベア１に突当てられ土砂の脱落を防止する板片２３が取付けられてなる。ベルトコンベア１，補助ベルトコンベア２の対面するベルト１２，２２の側縁の間を覆うガイド３を固定的に設置した。  【選択図】        図１  
2005298195.tif 000002
【特許請求の範囲】
【請求項１】
上下方向へ配設され土砂を挟持して下方から上方へ搬送するベルトコンベア，補助ベルトコンベアを備え、補助コンベアはベルトコンベアに突当てられ土砂の脱落を防止する板片が取付けられてなる土砂の搬送装置において、ベルトコンベア，補助ベルトコンベアの対面するベルトの側縁の間を覆うガイドを固定的に設置したことを特徴とする土砂の搬送装置。
【請求項２】
請求項１の土砂の搬送装置において、ガイドはベルトコンベア，補助ベルトコンベアの対面するベルトの側縁がそれぞれ差込まれる案内溝が設けられていることを特徴とする土砂の搬送装置。
【請求項３】
請求項２の土砂の搬送装置において、ガイドの案内溝は平行に配置され、ベルトコンベア，補助ベルトコンベアのベルトが平行に対面されていることを特徴とする土砂の搬送装置。
【請求項４】
請求項２の土砂の搬送装置において、ガイドの案内溝は非平行に配置され、ベルトコンベア，補助ベルトコンベアのベルトがベルトコンベア側にトラフ角度が形成されて対面されていることを特徴とする土砂の搬送装置。
【発明の詳細な説明】
【技術分野】
【０００１】
本発明は、垂直にまたは傾斜して上下方向へ配設された搬送ラインに沿って土砂を下方から上方へ搬送する土砂の搬送装置に係る技術分野に属する。
【背景技術】
【０００２】
最近、シールド工事等で掘削された土砂を竪坑の底からから地上まで搬送する搬送技術として、同期移動される２つのベルトコンベアで土砂を挟持して下方から上方へ搬送するものが開発されている。この技術は、下方から上方への搬送途中での土砂の漏出の多いバケットコンベアの搬送効率を改善するものとして提案されている。
【０００３】
この搬送技術は、図４に示すように、竪坑の底と地上とで水平方向へ短く配設され、竪坑の底と地上との間で垂直方向へ長く配設され、両方向への配設が湾曲部を介して連結されたベルトコンベア１，補助ベルトコンベア２からなる。ベルトコンベア１，補助ベルトコンベア２は、駆動，従動のベルト車１１，２１に平型のベルト１２，２２がエンドレス状に掛渡されている。ベルトコンベア１，補助ベルトコンベア２の上方へ向かう搬送ライン（往路）は、ベルト１２，２２が対面され同期移動するように設定されている。補助ベルトコンベア２のベルト２２には、ベルトコンベア１のベルト１２に突当てられる板片２３がベルト２２の長さ方向と直交する方向（ベルト２２の幅方向）へ延びベルト２２の長さ方向へ一定間隔を介して起立された板片２３が設けられている。
【０００４】
この搬送技術によると、竪坑の底でベルトコンベア１のベルト１２の搬送始端に供給された土砂に対して、補助ベルトコンベア２のベルト２２が被さり板片２３が突立てられることになる。この結果、土砂がベルトコンベア１，補助ベルトコンベア２のベルト１２，２２に挟込まれ補助ベルトコンベア２の板片２３で下支えされ脱落を阻止された格好となって搬送される。地上に搬送された土砂は、補助ベルトコンベア２のベルト２２の被さりと板片２３の突立てとが解除されて、ベルトコンベア１のベルト１２の搬送終端で自重により排出される。
【０００５】
この搬送技術では、土砂に含まれている水分量が多い場合等に、土砂がベルトコンベア１，補助ベルトコンベア２のベルト１２，２２の開放されている側縁から流出することがあるという不具合がある。このため、ベルトコンベア１，補助ベルトコンベア２のベルト２２の側縁からの土砂の流出を防止する技術の開発が期待されている。
【０００６】
従来、土砂の流出の防止を指向した土砂の搬送装置としては、例えば、以下に記載のものが知られている。
【特許文献１】特開平５−１５５４１４号公報  特許文献１には、図５に示すように、補助ベルトコンベア２のベルト２２の側縁に沿って板片２３側へ起立したベローズ２４が取付けられた土砂の搬送装置が記載されている。
【０００７】
特許文献１に係る土砂の搬送装置は、補助ベルトコンベア２のベルト２２，板片２３，ベローズ２４で囲まれた箱形の搬送空間に土砂を囲込んで搬送することで、土砂のベルトコンベア１，補助ベルトコンベア２のベルト１２，２２の側縁から流出を防止する。
【発明の開示】
【発明が解決しようとする課題】
【０００８】
特許文献１に係る土砂の搬送装置では、ベルトコンベア１，補助ベルトコンベア２の配設の湾曲部への対応から補助ベルトコンベア２のベローズ２４に伸縮性を備えなければならないため、伸縮したベローズ２４の皺の間に土砂が付着しやすくなっている。このため、付着した土砂の荷重等で補助ベルトコンベア２のベローズ２４が変形され、土砂の流出の防止機能が有効に奏されなくなってしまうことがあるという問題点がある。また、補助ベルトコンベア２のベローズ２４が回転動作するベルト２２に取付けられるため、補助ベルトコンベア２の構造が複雑化して設備コストが高くなるという問題点がある。
【０００９】
なお、この問題点の解消のために、補助ベルトコンベア２の搬送終端付近にベローズ２４に付着している土砂を掻取るスクレーパを設置することが試みられている。然しながら、構造が複雑化して設備コストが高くなるわりには、土砂の流出の防止が確実に奏されないという現状がある。
【００１０】
本発明は、このような問題点，現状を考慮してなされたもので、構造が複雑化して設備コストが高くなるのを避けるとともに土砂の流出を確実に防止することのできる土砂の搬送装置を提供することを課題とする。
【課題を解決するための手段】
【００１１】
前述の課題を解決するため、本発明に係る土砂の搬送装置は、特許請求の範囲の各請求項に記載の手段を採用する。
【００１２】
即ち、請求項１では、上下方向へ配設され土砂を挟持して下方から上方へ搬送するベルトコンベア，補助ベルトコンベアを備え、補助コンベアはベルトコンベアに突当てられ土砂の脱落を防止する板片が取付けられてなる土砂の搬送装置において、ベルトコンベア，補助ベルトコンベアの対面するベルトの側縁の間を覆うガイドを固定的に設置したことを特徴とする。
【００１３】
この手段では、ガイドがベルトコンベア，補助ベルトコンベアの開放されている側縁を閉塞する。ガイドは、回転動作する補助ベルトコンベアとは別個に固定的に設置される。
【００１４】
また、請求項２では、請求項１の土砂の搬送装置において、ガイドはベルトコンベア，補助ベルトコンベアの対面するベルトの側縁がそれぞれ差込まれる案内溝が設けられていることを特徴とする。
【００１５】
この手段では、ベルトコンベア，補助ベルトコンベアの対面するベルトが側縁をガイドの案内溝に案内されて移動する。
【００１６】
また、請求項３では、請求項２の土砂の搬送装置において、ガイドの案内溝は平行に配置され、ベルトコンベア，補助ベルトコンベアのベルトが平行に対面されていることを特徴とする。
【００１７】
この手段では、土砂を囲込む搬送空間の平面の断面形状が方形となる。
【００１８】
また、請求項４では、請求項２の土砂の搬送装置において、ガイドの案内溝は非平行に配置され、ベルトコンベア，補助ベルトコンベアのベルトがベルトコンベア側にトラフ角度が形成されて対面されていることを特徴とする。
【００１９】
この手段では、土砂を囲込む搬送空間の平面の断面形状が台形に近似する。
【発明の効果】
【００２０】
本発明に係る土砂の搬送装置は、ガイドがベルトコンベア，補助ベルトコンベアの開放されている側縁を閉塞するため、土砂の流出が確実に防止される効果がある。また、ガイドが回転動作する補助ベルトコンベアとは別個に固定的に設置されるため、構造が複雑化して設備コストが高くなるのを避けることができる効果がある。
【００２１】
さらに、請求項２として、ベルトコンベア，補助ベルトコンベアの対面するベルトが側縁をガイドの案内溝に案内されて移動するため、ベルトコンベア，補助ベルトコンベアの対面するベルトの波打等の変形が防止され、土砂の搬送姿勢が安定化される効果がある。
【００２２】
さらに、請求項３として、土砂を囲込む搬送空間の平面の断面形状が方形となるため、ベルトコンベア，補助ベルトコンベアを垂直に上下方向へ配設するのに好適となる効果がある。
【００２３】
さらに、請求項４として、土砂を囲込む搬送空間の平面の断面形状が台形に近似するため、ベルトコンベア，補助ベルトコンベアを傾斜して上下方向へ配設するのに好適となる効果がある。
【発明を実施するための最良の形態】
【００２４】
以下、本発明に係る土砂の搬送装置を実施するための最良の形態を図面に基づいて説明する。
【００２５】
図１，図２は、本発明に係る土砂の搬送装置を実施するための最良の形態の第１例を示すものである。
【００２６】
この形態では、ベルトコンベア１，補助ベルトコンベア２の構造，配設が基本的に前述の図４と同様の構成からなるものが示されている。
【００２７】
この形態は、図１に示すように、ともに平型のベルト１１２，２２を備えたベルトコンベア１，補助ベルトコンベア２に対して、ベルトコンベア１，補助ベルトコンベア２の対面するベルト１２，２２の側縁の間を覆うガイド３を固定的に設置している。
【００２８】
ガイド３は、図２に詳細に示されるように、鋼材等で左右対称形の枠体構造に形成され、ベルトコンベア１，補助ベルトコンベア２の対面するベルト１２，２２の側縁が差込まれるスリット形の案内溝３１，３２がスペース板３３を介して平行に配置されている。案内溝３１，３２は、ベルトコンベア１，補助ベルトコンベア２のベルト１２，２２の厚さよりも余裕をもったスリット幅を有して、ベルトコンベア１，補助ベルトコンベア２のベルト１２，２２を無用に摺擦摩耗することがないようになっている。案内溝３１，３２の奥側には、内部に浸入した水等を排出するための抜孔３４，３５が設けられている。案内溝３１，３２の間の開口近くには、取付板３６が掛渡され案内溝３１，３２の間を閉塞するゴム材等のシール板３７が取付けられている。
【００２９】
このガイド３は、案内溝３１，３２の外側の端部に設けられたボルト孔３８に挿通されるボルト（図示せず）で竪坑の底から地上まで立上げられた支持枠体（図示せず）等に支持される。また、ベルトコンベア１のベルト１２の裏側には、受ローラ１３が配置される。また、補助ベルトコンベア２のベルト２２の裏側には、押ローラ２５が配置される。
【００３０】
第１例によると、前述の図５の補助ベルトコンベア２のベローズ２４とは相違して、ガイド３が回転動作する補助ベルトコンベア２に取付け工作されなくなる。従って、補助ベルトコンベア２の構造が複雑化されて製造コストが高くなるのを避けることができる。
【００３１】
第１例による土砂の搬送では、前述の図４と同様に、ベルトコンベア１，補助ベルトコンベア２のベルト１２，２２で土砂を挟持し補助ベルトコンベア２の板片２３で土砂の脱落を阻止することになる。なお、ベルトコンベア１の受ローラ１３と補助ベルトコンベア２の押ローラ２５とは、ベルトコンベア１，補助ベルトコンベア２のベルト１２，２２による土砂の挟持を外側から押して保持する。搬送される土砂が囲込まれる搬送空間は、平面の断面形状が方形で土砂の荷重のバランスが均等になる。従って、第１例については、ベルトコンベア１，補助ベルトコンベア２を垂直に上下方向へ配設するのに好適となる。
【００３２】
また、土砂の搬送のために移動するベルトコンベア１，補助ベルトコンベア２の対面するベルト１２，２２は、側縁がガイド３の案内溝３１，３２に差込まれて無用な動作が阻止されている。従って、搬送空間に収容された土砂の量の多少でベルトコンベア２，補助ベルトコンベア３の対面するベルト１２，２２が波打等する変形が防止され、土砂の搬送姿勢が安定化される。なお、ベルトコンベア２，補助ベルトコンベア３の対面するベルト１２，２２の変形が防止されることにより、ベルトコンベア１の受ローラ１３や補助ベルトコンベア２の押ローラ２５の配置本数を減数して、ベルトコンベア１，補助ベルトコンベア２の構造を簡素化することが可能になる。
【００３３】
また、搬送される土砂は、前述の図４で開放されていたベルトコンベア１，補助ベルトコンベア２の対面するベルト１２，２２の側縁がガイド３のシール板３７で閉塞されている。従って、ベルトコンベア１，補助ベルトコンベア２の対面するベルト１２，２２の側縁から土砂が流出することはない。
【００３４】
図３は、本発明に係る土砂の搬送装置を実施するための最良の形態の第２例を示すものである。
【００３５】
第２例では、ガイド３の案内溝３１，３２を角度を介して直接的に連結され非平行に配置されている。そして、ベルトコンベア１にベルト１２にトラフ角度が設けられ、搬送される土砂が囲込まれる搬送空間の平面の断面形状が台形に近似する。なお、ベルトコンベア１の受ローラ１３は、トラフ角度に対応して３本が角度をもって配置されている。また、第１例のガイド３のシール板３７に代替えするものとして、ガイド３の案内溝３１，３２の開口近くに取付けられてベルトコンベア１，補助ベルトコンベア２の対面するベルト１２，２２に摺擦されるシールスカート３９が設けられている。
【００３６】
第２例によると、第１例とほぼ同様の作用，効果が奏されるが、搬送空間の平面の断面形状から土砂の荷重のバランスが不均等になるため、ベルトコンベア１，補助ベルトコンベア２を傾斜して上下方向へ配設するのが好ましい。この傾斜した上下方向の配設については、特開平１０−１０９７２３号公報に記載の技術がある。
【００３７】
また、第２例によると、ベルトコンベア１，補助ベルトコンベア２の傾斜した上下方向の配設と、ベルトコンベア１の受ローラ１３のトラフ角度に対応した３本の角度をもった配置の耐荷重性の向上とにより、第１例に比して大量の土砂の搬送が可能になる。
【００３８】
以上、図示した各例の外に、土砂の搬送空間の平面の断面形状が他の形状になるようにすることも可能である。
【図面の簡単な説明】
【００３９】
【図１】本発明に係る土砂の搬送装置を実施するための最良の形態の第１例の簡略化した斜視図である。
【図２】図１の要部の拡大横断面図である。
【図３】本発明に係る土砂の搬送装置を実施するための最良の形態の第２例の断面図でる。
【図４】土砂の搬送技術の一例を示す簡略化した斜視図である。
【図５】従来例を示す簡略化した斜視図である。
【符号の説明】
【００４０】
１            ベルトコンベア
１２          ベルト
２            補助ベルトコンベア
２２          ベルト
２３          板片
３            ガイド
３１，３２    案内溝
【図１】
2005298195.tif 000003
【図２】
2005298195.tif 000004
【図３】
2005298195.tif 000005
【図４】
2005298195.tif 000006
【図５】
2005298195.tif 000007